(57)【要約】【課題】流体管の先端部が接続部から抜けるのを防止し漏水や作動不良を防止することができる、あるいは美観が損なわれることを防止することができる流体管の抜け止め構造を提供することを目的とする。【解決手段】機器に流体を供給する、または、機器から流体を排出する流体管と、前記機器に設けられ、前記流体管の先端部が装着される接続部と、前記流体管の先端部と前記接続部とを結合する結合部材と、前記流体管が前記接続部から抜ける方向に少なくとも一部が設けられ、前記流体管の前記接続部からの抜けを防止する抜け止め部材と、を備えたことを特徴とする流体管の抜け止め構造が提供される。【選択図】図４
2011202751.tif 000002
【特許請求の範囲】
【請求項１】
機器に流体を供給する、または、機器から流体を排出する流体管と、
前記機器に設けられ、前記流体管の先端部が装着される接続部と、
前記流体管の先端部と前記接続部とを結合する結合部材と、
前記流体管が前記接続部から抜ける方向に少なくとも一部が設けられ、前記流体管の前記接続部からの抜けを防止する抜け止め部材と、
を備えたことを特徴とする流体管の抜け止め構造。
【請求項２】
前記機器は、前記流体管の先端部と前記接続部との結合部を収容する収容部をさらに備え、
前記抜け止め部材は、前記機器に取り付けられ前記結合部を隠蔽する隠蔽カバーであり、前記隠蔽カバーの少なくとも一部は、前記流体管の先端部が前記接続部から抜けるのを防止することを特徴とする請求項１記載の流体管の抜け止め構造。
【請求項３】
前記隠蔽カバーの少なくとも一部は、前記流体管の先端部を前記接続部に装着した状態で、前記流体管と前記機器との間の隙間に挿入される移動阻止部であることを特徴とする請求項２記載の流体管の抜け止め構造。
【請求項４】
前記結合部材が前記流体管の先端部と前記接続部との結合部に完全には装着されていない場合には、前記隠蔽カバーは、前記機器に取り付けられないことを特徴とする請求項２記載の流体管の抜け止め構造。
【請求項５】
前記隠蔽カバーは、少なくとも一部において、前記流体管が回動可能となるよう切り欠き部を有することを特徴とする請求項２記載の流体管の抜け止め構造。
【発明の詳細な説明】
【技術分野】
【０００１】
本発明は、流体管の抜け止め構造に関する。
【背景技術】
【０００２】
例えば、トイレ用衛生洗浄装置（機器）は、洗浄水を噴射する吐水ノズルをその内部に進退自在に収容し、腰掛便器の上面後部に設置して使用する形態のものが主流となっている。このような衛生洗浄装置では、衛生洗浄装置に水を供給する給水接続部（接続部）と、外部から給水接続部に水を供給する流体管である給水ホースと、を接続部品（以下、「ファスナー」あるいは「結合部材」ともいう）にて接続する必要がある。このような場合、この接続部品の装着が不十分であると、衛生洗浄装置の使用時における外部からの水圧により接続給水部と給水ホースとの結合部が外れ、漏水や作動不良が生ずるおそれがあるといった問題があった。
【０００３】
一方で、給水接続部と給水ホースとの結合部が外観に出てくると、美観を損なうおそれがある。  
ここで、ケーシング本体に固定された右背面カバーを備える便器装置がある（特許文献１）。しかしながら、特許文献１に記載された便器装置の右背面カバーは、ケーシング本体の内部に設けられた装置や部品などを覆い隠すことはできるが、給水接続部と給水ホースとの結合部が外れることを防止する構造を有しているわけではない。そのため、給水接続部品の装着が不十分であると、漏水や作動不良が生ずるおそれがある。  
このような問題は、トイレ用衛生洗浄装置の給水部に限ったことではなく、食器洗浄装置や、水栓装置や、清水装置や、半導体洗浄装置などの産業用洗浄装置など機器の給水接続部と給水管（流体管）との結合部、またはそれらの機器の排水接続部と排水管（流体管）との結合部においても、同様の問題が生ずるおそれがある。
【先行技術文献】
【特許文献】
【０００４】
【特許文献１】特開２００９−１６７５８８号公報
【発明の概要】
【発明が解決しようとする課題】
【０００５】
本発明は、かかる課題の認識に基づいてなされたものであり、機器の接続部から流体管の先端部が抜けるのを防止し、漏水や作動不良を防止することができる、あるいは美観が損なわれることを防止することができる流体管の抜け止め構造を提供することを目的とする。
【課題を解決するための手段】
【０００６】
上記目的を達成するために請求項１記載の発明は、機器に流体を供給する、または、機器から流体を排出する流体管と、前記機器に設けられ、前記流体管の先端部が装着される接続部と、前記流体管の先端部と前記接続部とを結合する結合部材と、前記流体管が前記接続部から抜ける方向に少なくとも一部が設けられ、前記流体管の前記接続部からの抜けを防止する抜け止め部材と、を備えたことを特徴とする流体管の抜け止め構造である。
【０００７】
これによれば、流体管が機器に設けられた接続部から抜ける方向に、流体管の抜けを防止する抜け止め部材を設けることにより、外部からの水圧により流体管と接続部との結合部が外れないことを可能とした。そのため、流体管と機器に設けられた接続部との結合部における漏水を防止したり、漏水による機器の作動不良を防止することができる。
【０００８】
また、請求項２記載の発明は、請求項１記載の発明において、前記機器は、前記流体管の先端部と前記接続部との結合部を収容する収容部をさらに備え、前記抜け止め部材は、前記機器に取り付けられ前記結合部を隠蔽する隠蔽カバーであり、前記隠蔽カバーの少なくとも一部は、前記流体管の先端部が前記接続部から抜けるのを防止することを特徴とする流体管の抜け止め構造である。
【０００９】
これによれば、前記流体管の先端部と接続部との結合部を機器に設けた収容部内に収容し、その結合部を隠蔽カバーで覆うように構成し、前記隠蔽カバーの少なくとも一部を、前記流体管の先端部が前記接続部から抜けるのを防止する抜け止め部材として形成することにより、前記流体管の先端部と接続部との結合部を収容部内に収容でき、美観を損なわないことを可能とした。また、機器に取り付けられた隠蔽カバーの少なくとも一部は、流体管の先端部が接続部から抜けるのを防止するため、漏水や作動不良を防止することができる。
【００１０】
また、請求項３記載の発明は、請求項２記載の発明において、前記隠蔽カバーの少なくとも一部は、前記流体管の先端部を前記接続部に装着した状態で、前記流体管と前記機器との間の隙間に挿入される移動阻止部であることを特徴とする流体管の抜け止め構造である。
【００１１】
これによれば、前記隠蔽カバーの少なくとも一部を、前記流体管の先端部を前記接続部に装着した状態で、前記流体管と前記機器との間に生じる隙間に入り込む移動阻止部にすることにより、誤って結合部材が未装着の場合でも外部からの水圧により流体管との接続部が外れないことを可能とした。
【００１２】
また、請求項４記載の発明は、請求項２記載の発明において、前記結合部材が前記流体管の先端部と前記接続部との結合部に完全には装着されていない場合には、前記隠蔽カバーは、前記機器に取り付けられないことを特徴とする流体管の抜け止め構造である。
【００１３】
これによれば、前記隠蔽カバーは、前記結合部材が前記流体管の先端部と接続部との結合部に完全に嵌っていない場合には、隠蔽カバーが取り付けられないように形成することにより、結合部材の半装着がないことを可能とした。
【００１４】
また、請求項５記載の発明は、請求項２記載の発明において、前記隠蔽カバーは、少なくとも一部において、前記流体管が回動可能となるよう切り欠き部を有することを特徴とする流体管の抜け止め構造である。
【００１５】
これによれば、流体管は、流体管の先端部の円周方向への回動が可能となる。そのため、流体管の施工性や、作業性や、設置位置の自由度などをより向上させることができる。
【発明の効果】
【００１６】
本発明によれば、流体管の先端部が接続部から抜けるのを防止し漏水や作動不良を防止することができる、あるいは美観が損なわれることを防止することができる流体管の抜け止め構造が提供される。
【図面の簡単な説明】
【００１７】
【図１】本発明の実施の形態に係る流体管の抜け止め構造を備えた衛生洗浄装置を左前方から眺めた斜視模式図である。
【図２】流体管の先端部と衛生洗浄装置の水を給水する接続部とをファスナーにて結合している状態を表す斜視模式図である。
【図３】流体管の先端部と衛生洗浄装置の水を給水する接続部との接続を表す斜視模式図である。
【図４】流体管の先端部と衛生洗浄装置の水を給水する接続部とをファスナーにて結合し、その結合部を隠蔽カバーで覆う状態を表す斜視模式図である。
【図５】流体管の先端部と衛生洗浄装置の水を給水する接続部とをファスナーにて結合し、結合部を隠蔽カバーにて覆った状態を表す断面模式図である。
【図６】流体管の先端部と衛生洗浄装置の水を給水する接続部とをファスナーにて結合し、結合部を隠蔽カバーにて覆った状態を表す断面模式図である。
【図７】流体管と衛生洗浄装置の水を給水する接続部との結合部を隠蔽カバーにて覆った状態を表す斜視模式図である。
【発明を実施するための形態】
【００１８】
以下、図面を参照しつつ、本発明の実施形態について説明する。なお、各図面中、同様の構成要素には同一の符号を付して詳細な説明は適宜省略する。  
また、本発明の流体管の抜け止め構造は、例えば、衛生洗浄装置や、食器洗浄装置や、水栓装置や、清水装置や、半導体洗浄装置などの産業用洗浄装置などに利用可能である。以下、本発明の実施の形態では、本発明の流体管の抜け止め構造が衛生洗浄装置に利用された場合を例に挙げて説明する。
【００１９】
図１は、本発明の実施の形態に係る流体管の抜け止め構造を備えた衛生洗浄装置を左前方から眺めた斜視模式図である。  
本実施形態の衛生洗浄装置（機器）１００は、本体部１１０と、便蓋１２０と、便座１３０と、を備える。便蓋１２０と便座１３０とは、本体部１１０に対して開閉自在にそれぞれ軸支されている。
【００２０】
衛生洗浄装置１００の本体部１１０には、衛生洗浄を実現するための衛生洗浄機能部が内蔵されている。すなわち、着座センサにより使用者が便座に座ったことを検知し、使用者のスイッチ操作などに応じて本体部１１０から吐水ノズルを便器ボウル内に進出させ、その先端付近に設けられた吐水口から水を噴射して、便座に座った使用者の「おしり」などを洗浄可能とされている。
【００２１】
図２は、流体管の先端部と衛生洗浄装置に給水する接続部とをファスナーにて結合している状態を表す斜視模式図である。  
本体部１１０の内部の側方には、図２に表したように、例えば図示しない制御部からの指令に基づいて熱交換器などへの水の供給を制御する電磁弁を有するバルブユニット（機能部）３００が配置されている。衛生洗浄装置１００に水を給水する流体管２００は、バルブユニット３００の接続部３１０にファスナー（結合部材）４００により結合されている。なお、この流体管２００として、フレキシブルホースを用いることができる。  
より具体的には、ファスナー４００は、孔部４１０を有し、その孔部４１０において接続部３１０と流体管２００の鍔部２２０とを挟持することにより、流体管２００とバルブユニット３００の接続部３１０とを結合することができる。
【００２２】
図３は、流体管の先端部と衛生洗浄装置の水を給水する接続部との接続を表す斜視模式図である。  
なお、図３（ａ）は、流体管の先端部を衛生洗浄装置に設けられたバルブユニット接続部へ接続する前の状態を表す斜視模式図であり、図３（ｂ）は、流体管の先端部を衛生洗浄装置に設けられたバルブユニット接続部へ接続した後の状態を表す斜視模式図である。
【００２３】
流体管２００は、図３（ａ）に表したように、その先端部に先端凸部２１０を有する。まず、図３（ｂ）に表したように、流体管２００の先端凸部２１０を、衛生洗浄装置１００の本体部１１０内の側方に配置されているバルブユニット３００の接続部３１０に挿し込み接続する。その後、図２に表したように、流体管２００の先端凸部２１０と接続部３１０が供給水の圧力によって外れないよう、ファスナー４００を被せ結合する。
【００２４】
より具体的に説明すると、ファスナー４００は、例えば「クイックファスナー」などと呼ばれる締結部材であり、ばね性あるいは弾力性を有する。そのため、流体管２００の先端凸部２１０をバルブユニット３００の接続部３１０に挿し込み接続した状態で、接続部３１０および鍔部２２０の外周側にばね作用を利用しつつファスナー４００を嵌合させることができる。これにより、ファスナー４００は、流体管２００とバルブユニット３００の接続部３１０とを結合することができる。
【００２５】
図４は、流体管の先端部と衛生洗浄装置の水を給水する接続部とをファスナーにて結合し、その結合部を隠蔽カバーで覆う状態を表す斜視模式図である。  
なお、図４（ａ）は、本実施形態の隠蔽カバーを取り付ける前の状態を表す斜視模式図である。また、図４（ｂ）は、本実施形態の隠蔽カバーを取り付けた後の状態を表す斜視模式図である。  
また、図５は、流体管の先端部と衛生洗浄装置の水を給水する接続部とをファスナーにて結合し、結合部を隠蔽カバーにて覆った状態を表す断面模式図である。  
なお、図５は、図４（ｂ）に表したＡ−Ａ切断面における断面模式図である。
【００２６】
本実施形態では、図４（ｂ）に表したように、ファスナー４００にて結合した流体管２００とバルブユニット３００の接続部３１０との結合部を、衛生洗浄装置１００の本体部１１０に設けた収容部に収容した上で、隠蔽カバー（抜け止め部材）５００にて隠蔽する。これにより、衛生洗浄装置の美観が損なわれることを防止することができる。隠蔽カバー５００は、衛生洗浄装置１００の本体部１１０に図示せぬフックにより嵌め込まれ、固定される。このとき、図４（ａ）に表した矢印Ｃのように、流体管２００の後部にある隙間１４０、すなわち流体管２００の後壁面２３０と本体部１１０との間の隙間１４０に隠蔽カバー５００の少なくとも一部が挿入される。つまり、隠蔽カバー５００は、流体管２００の先端凸部２１０が接続部３１０から抜けるのを防止するよう形成された抜け止め部（移動阻止部）５１０を有する。抜け止め部５１０を隙間１４０に挿し込むことで、流体管２００が接続部３１０から抜ける動きが抑制される。
【００２７】
より具体的に説明すると、図５に表した矢印Ｄのように、流体管２００の先端凸部２１０が接続部３１０から抜けようとすると、本体部１１０に取り付けられた隠蔽カバー５００の抜け止め部５１０に流体管２００の後壁面２３０が当接するため、流体管２００が接続部３１０から抜ける動きは抑制される。そのため、万が一ファスナー４００が誤って未装着の場合であっても、流体管２００が接続部３１０から抜けることを防ぐことができる。これにより、流体管２００とバルブユニット３００の接続部３１０との結合部における漏水を防止したり、本体部１１０の内部に設けられた衛生洗浄機能部などの、漏水による作動不良を防止することができる。
【００２８】
図６は、流体管の先端部と衛生洗浄装置の水を給水する接続部の結合部をファスナーにて結合し、結合部を隠蔽カバーにて覆った状態を表す断面模式図である。  
なお、図６は、図４（ｂ）に表したＢ−Ｂ切断面における断面模式図である。
【００２９】
衛生洗浄装置１００の本体部１１０において、流体管２００と接続部３１０とを結合したファスナー４００と、隠蔽カバー５００と、の間には、図６に表したように隙間１５０が存在する。本実施形態では、ファスナー４００が完全に装着された状態でしか隠蔽カバー５００が装着できないように、ファスナー４００と隠蔽カバー５００との間の隙間１５０の大きさを適宜設定することで、ファスナー４００の誤装着を防ぐことができる。つまり、ファスナー４００が完全には装着されていない状態で隠蔽カバー５００を本体部１１０に取り付けると、ファスナー４００と隠蔽カバー５００とが当接し、隠蔽カバー５００を本体部１１０に装着することができない。あるいは、ファスナー４００が完全には装着されていない状態で隠蔽カバー５００を本体部１１０に取り付けると、隠蔽カバー５００は、ファスナー４００と当接し、そのファスナー４００を押し込む。その結果、ファスナー４００は、流体管２００と接続部３１０との結合部に完全に装着される。これらにより、ファスナー４００が完全には装着されていない状態、すなわち誤装着の状態を防ぐことができる。
【００３０】
図７は、流体管と衛生洗浄装置の水を給水する接続部の結合部を隠蔽カバーにて覆った状態を表す斜視模式図である。  
本実施形態の隠蔽カバー５００は、切り欠き部５２０（図４（ａ）参照）を有する。隠蔽カバー５００が本体部１１０に装着された状態では、図７に表したように、流体管２００は、隠蔽カバー５００の切り欠き部５２０を通って図示しない給水源に接続される。そのため、隠蔽カバー５００に切り欠き部５２０を設けることにより、隠蔽カバー５００を衛生洗浄装置１００の本体部１１０に装着した後でも、流体管２００は、図７に表した矢印Ｅのように、流体管２００の先端凸部２１０の円周方向への回動が可能となる。これにより、衛生洗浄装置１００の施工性や、作業性や、設置位置の自由度などをより向上させることができる。
【００３１】
以上説明したように、本実施形態によれば、衛生洗浄装置１００の本体部１１０に水を供給する流体管２００は、バルブユニット３００の接続部３１０にファスナー（結合部材）４００により結合されている。また、流体管２００の後壁面２３０と、本体部１１０と、の間の隙間１４０には、隠蔽カバー５００の抜け止め部５１０が挿入されている。その結果、流体管２００が接続部３１０から抜ける動きが抑制される。そのため、万が一ファスナー４００が誤って未装着の場合であっても、流体管２００が接続部３１０から抜けることを防ぐことができる。これにより、流体管２００とバルブユニット３００の接続部３１０との結合部における漏水を防止したり、本体部１１０の内部に設けられた衛生洗浄機能部などの漏水による作動不良を防止することができる。  
また、隠蔽カバー５００は、ファスナー４００にて結合した流体管２００とバルブユニット３００の接続部３１０との結合部を隠蔽する。そのため、衛生洗浄装置の美観が損なわれることを防止することができる。
【００３２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、流体管２００やバルブユニット３００などが備える各要素の形状、寸法、材質、配置などやファスナー４００や隠蔽カバー５００の設置形態などは、例示したものに限定されるわけではなく適宜変更することができる。  
また、本実施形態では、本発明の流体管の抜け止め構造が衛生洗浄装置に利用された場合を例に挙げて説明したが、これだけに限定されるわけではない。本発明の流体管の抜け止め構造は、例えば、食器洗浄装置や、水栓装置や、清水装置や、半導体洗浄装置などの産業用洗浄装置などに利用可能である。また、食器洗浄装置などにおいては、ポンプなどで圧送された水を本体部から排出する流体管が、本体部に内蔵された接続部に結合される。本発明の流体管の抜け止め構造は、この食器洗浄装置のように水を排出する流体管を備えた装置にも利用可能である。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３３】
１００…衛生洗浄装置、  １１０…本体部、  １２０…便蓋、  １３０…便座、  １４０…隙間、  １５０…隙間、  ２００…流体管、  ２１０…先端凸部、  ２２０…鍔部、  ２３０…後壁面、  ３００…バルブユニット、  ３１０…接続部、  ４００…ファスナー、  ４１０…孔部、  ５００…隠蔽カバー、  ５１０…抜け止め部、  ５２０…切り欠き部
【図１】
2011202751.tif 000003
【図２】
2011202751.tif 000004
【図３】
2011202751.tif 000005
【図４】
2011202751.tif 000006
【図５】
2011202751.tif 000007
【図６】
2011202751.tif 000008
【図７】
2011202751.tif 000009